(57)【要約】【課題】  遊技場の管理コンピュータに設定すべきポーリング周期を容易に決定することが可能な遊技機を提供する。【解決手段】  盤用情報端子板４９のコネクタ配設面に、ＬＥＤ４９ａ，４９ｂ，４９ｃ，４９ｄを配設する。そして、盤用情報端子板４９のグランドパターン４９ＧにＬＥＤ４９ａ〜４９ｄのカソードを接続する一方、主基板３３から入力される図柄確定回数信号や大入賞口信号、大当たり１信号、大当たり２信号を管理コンピュータに出力する接続端子５７ａ，５９ａ，６１ａ，６３ａにそれぞれ、ＬＥＤ４９ａ〜４９ｄのアノードを接続する。【選択図】図３
2005270121.tif 000002
【特許請求の範囲】
【請求項１】
遊技を制御すると共に、予め指定された指定遊技状態の発生時に、該指定遊技状態の発生を示す状態発生信号を外部に出力する制御基板を備えた遊技機であって、
該制御基板から該状態発生信号が出力されているか否かを報知する出力報知手段を備えることを特徴とする遊技機。
【請求項２】
前記出力報知手段は、画像、光、音声のうちの少なくとも１つを用いて報知を行うことを特徴とする請求項１記載の遊技機。
【請求項３】
遊技を制御すると共に、予め指定された指定遊技状態の発生時に、該指定遊技状態の発生を示す状態発生信号を外部に出力する制御基板を備えた遊技機であって、
該状態発生信号の出力時間と非出力時間とをそれぞれ計測する計測手段と、
該計測手段の計測結果を蓄積し、蓄積した該計測結果のうちで最短時間を示す該計測結果を報知する最短時間報知手段と、
を備えることを特徴とする遊技機。
【請求項４】
遊技を制御すると共に、予め指定された指定遊技状態の発生時に、該指定遊技状態の発生を示す状態発生信号を外部に出力する制御基板を備えた遊技機であって、
該状態発生信号の出力時間、もしくは、非出力時間のうちのいずれか一方を計測する計測手段と、
該計測手段の計測結果を蓄積し、蓄積した該計測結果のうちで最短時間を示す該計測結果を報知する最短時間報知手段と、
を備えることを特徴とする遊技機。
【請求項５】
前記最短時間報知手段は、画像もしくは音声のうちの少なくとも一方を用いて報知を行うことを特徴とする請求項３又は請求項４記載の遊技機
【発明の詳細な説明】
【技術分野】
【０００１】
本発明は、遊技を制御すると共に、予め指定された指定遊技状態の発生時に、該指定遊技状態の発生を示す状態発生信号を外部に出力する制御基板を備えた遊技機に関する。
【背景技術】
【０００２】
従来より、一般的に、パチンコ遊技機に搭載される主基板や払出制御基板は、図柄の確定時や大当たりの発生時、遊技球の払出時などに、これらの遊技状態が発生した旨をそれぞれ示す各種信号を外部に出力するように構成されている。そして、パチンコ遊技機が遊技場に設置される際には、パチンコ遊技機の遊技状態を監視する管理コンピュータに接続され、管理コンピュータが実行するポーリングによって、これら信号の出力の有無が定期的にチェックされる（例えば、特許文献１を参照。）。
【０００３】
尚、管理コンピュータのポーリング周期は、管理コンピュータがこれら信号の出力の有無を逃さずに検出できるように、パチンコ遊技機におけるこれら信号の出力時間及び非出力時間の最短時間よりも短く設定される。
【特許文献１】２００１−１３７５１６号公報（段落［０００７］〜［０１０７］、図２）
【発明の開示】
【発明が解決しようとする課題】
【０００４】
ところで、上述の信号の出力時間及び非出力時間の最短時間は、パチンコ遊技機の機種によってそれぞれ異なる。このため、パチンコ遊技機を新たに遊技場に設置する際には、その都度、パチンコ遊技機の機種に応じたポーリング周期を管理コンピュータに設定しなければならない。そして、ポーリング周期の設定値は、様々に設定値を変更しながら実際に遊技を実行してみたり、又、上述の信号の出力時間及び非出力時間の最短時間をパチンコ遊技機を開発したメーカに問い合わせたりして決定されていたため、パチンコ遊技機の設置にその分多くの手間を要するという問題点があった。
【０００５】
そこで、上記問題点を解決するために、本発明は、遊技場の管理コンピュータに設定すべきポーリング周期を容易に決定することが可能な遊技機を提供することを目的とする。
【課題を解決するための手段】
【０００６】
上記目的を達成するためになされた請求項１記載の発明は、遊技を制御すると共に、予め指定された指定遊技状態の発生時に、該指定遊技状態の発生を示す状態発生信号を外部に出力する制御基板を備えた遊技機であって、該制御基板から該状態発生信号が出力されているか否かを報知する出力報知手段を備えることを特徴とする。
【０００７】
この遊技機では、制御基板が、遊技を制御し、指定遊技状態の発生時に、状態発生信号を外部に出力する。又、出力報知手段が、制御基板から状態発生信号が出力されているか否かを報知する。
【０００８】
つまり、この遊技機では、出力報知手段の報知内容に基づいて、状態発生信号の出力時間と非出力時間とを計測できる。
従って、指定遊技状態を複数回連続して発生させるなどすれば、状態発生信号の出力時間及び非出力時間の最短時間を計測できるため、この計測結果から遊技場の管理コンピュータに設定すべきポーリング周期の見当をつけることができる。
【０００９】
尚、制御基板は、状態発生信号を指定遊技状態が発生している間出力し続けても良いし、予め設定された一定時間だけ出力しても良い（以下、同様）。
又、出力報知手段は、例えば、請求項２記載のように、画像、光、音声のうちの少なくとも１つを用いて報知を行うと良い。
【００１０】
このように出力報知手段が設定されていれば、視覚や聴覚を通して、作業者が状態発生信号の出力時と非出力時とを確実に判別できるため、状態発生信号の出力時間と非出力時間とを適切に計測でき、ひいては、不適切なポーリング周期を設定してしまうことを防止できる。
【００１１】
次に、請求項３記載の発明は、遊技を制御すると共に、予め指定された指定遊技状態の発生時に、該指定遊技状態の発生を示す状態発生信号を外部に出力する制御基板を備えた遊技機であって、該状態発生信号の出力時間と非出力時間とをそれぞれ計測する計測手段と、該計測手段の計測結果を蓄積し、蓄積した該計測結果のうちで最短時間を示す該計測結果を報知する最短時間報知手段とを備えることを特徴とする。
【００１２】
この遊技機では、制御基板が、遊技を制御し、指定遊技状態の発生時に、状態発生信号を外部に出力する。又、計測手段が、状態発生信号の出力時間と非出力時間とをそれぞれ計測し、最短時間報知手段が、計測手段の計測結果を蓄積し、蓄積した計測結果のうちで最短時間を示す計測結果を報知する。
【００１３】
つまり、この遊技機によれば、状態発生信号の出力時間と非出力時間とが計測され、最短時間を示す計測結果が報知される。
従って、指定遊技状態を複数回連続して発生させるなどすれば、わざわざ作業者が最短時間を計測せずとも最短時間を示す計測結果が報知されるため、管理コンピュータに設定すべきポーリング周期の見当を容易につけることができる。
【００１４】
次に、請求項４記載の発明は、遊技を制御すると共に、予め指定された指定遊技状態の発生時に、該指定遊技状態の発生を示す状態発生信号を外部に出力する制御基板を備えた遊技機であって、該状態発生信号の出力時間、もしくは、非出力時間のうちのいずれか一方を計測する計測手段と、該計測手段の計測結果を蓄積し、蓄積した該計測結果のうちで最短時間を示す該計測結果を報知する最短時間報知手段とを備えることを特徴とする。
【００１５】
この遊技機では、制御基板が、遊技を制御し、指定遊技状態の発生時に、状態発生信号を外部に出力する。又、計測手段が、状態発生信号の出力時間、もしくは、非出力時間のうちのいずれか一方を計測し、最短時間報知手段が、計測手段の計測結果を蓄積し、蓄積した計測結果のうちで最短時間を示す計測結果を報知する。
【００１６】
つまり、この遊技機によれば、作業者が状態発生信号の出力時間の最短時間と非出力時間の最短時間とのどちらが短いのかさえ把握していれば、短い方のみを計測するだけで、管理コンピュータに設定すべきポーリング周期の見当を容易につけることができる。
【００１７】
尚、最短時間報知手段は、請求項５記載のように、画像もしくは音声のうちの少なくとも一方を用いて報知を行うように設定されていると良い。
つまり、視覚や聴覚を通して、最短時間を示す計測結果を作業者に確実に認識させることができるため、不適切なポーリング周期を設定してしまうこと防止できる。
【発明を実施するための最良の形態】
【００１８】
以下に本発明の実施形態を図面と共に説明する。
［第１実施形態］
まず、図１は、本実施形態におけるパチンコ遊技機１の正面図である。
【００１９】
図１に示すように、パチンコ遊技機（以下、単に「パチンコ機」ともいう。）１は、遊技機島に固定される外枠３と、開閉自在に外枠３に軸支された内枠５とを備える。
そして、内枠５には、遊技を演出するために点灯させる３つの内枠ランプ７と、遊技者に遊技を提供する遊技盤９と、遊技盤９を封止する金枠１０と、遊技者が遊技盤９上への遊技球の発射操作を行うためのハンドル１１と、当該パチンコ機１から払い出される遊技球（貸球及び賞球）を貯留する上受け皿１３と、上受け皿１３が遊技球を貯留しきれなくなるなどして、上受け皿１３から排出される遊技球を貯留する下受け皿１５とが設けられている。
【００２０】
又、遊技盤９上には、ＬＣＤ（Liquid  Crystal  Display）からなり、文字や図形を要素とした３つの特別図柄（図示せず）や遊技に関わる各種画像（図示せず）を表示するディスプレイ１７と、特別図柄の変動表示が保留されていることを遊技者に示す４つの特別図柄保留ランプ１９と、特別図柄の変動表示を開始させるために遊技者が遊技球を投入する始動入賞装置２１と、「大当たり」の発生時に実行する大当たり遊技の際に、遊技者が遊技球を投入する大入賞装置２３とが設けられている。
【００２１】
更に、遊技盤９上には、７セグメントＬＥＤからなり、１桁の数字からなる普通図柄（図示せず）を変動表示する普通図柄表示装置２５と、普通図柄の変動表示が保留されていることを遊技者に示す４つの普通図柄保留ランプ２７と、遊技を演出するために点灯させる１対の遊技盤ランプ２９と、遊技球の通過を検出する１対の始動ゲート３１とが設けられている。
【００２２】
次に、図２は、パチンコ機１の背面図である。
図２に示すように、内枠５の背部には、そのほぼ中央に、当該パチンコ機１を統括制御する主基板３３が透明な主基板ケース３５の内部に封止された状態で配設されている。
【００２３】
そして、主基板ケース３５の上方には、ディスプレイ１７に特別図柄や遊技に関わる各種画像を表示したり、普通図柄表示装置２５に普通図柄を表示する図柄制御基板（図示せず）と、スピーカ（図示せず）を介して声や効果音、音楽などの音声を出力する音声制御基板（図示せず）と、内枠ランプ７や遊技盤ランプ２９、特別図柄保留ランプ１９、普通図柄保留ランプ２７を点灯する電飾制御基板（図示せず）とが、透明な副基板ケース３７の内部に封止された状態で配設されている。
【００２４】
又、主基板ケース３５の下方には、遊技機島から供給されるＡＣ２４Ｖの交流電力を複数種類の直流電力（本実施形態では、ＤＣ＋５Ｖ、ＤＣ＋１２Ｖ、ＤＣ＋２４Ｖ、ＤＣ＋３２Ｖ）に変換し、当該パチンコ機１の各部に供給する電源基板３９と、上受け皿１３への遊技球の払出を行う払出装置（図示せず）を制御する払出制御基板４１とが、透明な電源基板ケース４３と透明な払出基板ケース４５との内部にそれぞれ封止された状態で配設されている。
【００２５】
又、内枠５の上端部付近には、遊技機島から供給される遊技球（賞球）を一時貯留する賞球タンク４７が配設され、又、賞球タンク４７付近には、主基板３３から出力される各種信号を遊技場に設置された管理コンピュータ（図示せず）へ中継する盤用情報端子板４９と、払出制御基板４１から出力される各種信号を管理コンピュータへ中継する枠用情報端子板５１とが、図中縦方向に並べられ、透明な基板ケース５３の内部に封止された状態で配設されている。
【００２６】
以下、主基板３３及び払出制御基板４１がそれぞれ盤用情報端子板４９及び枠用情報端子板５１を介して管理コンピュータへ出力する各種信号と、盤用情報端子板４９及び枠用情報端子板５１とについて詳述する。
【００２７】
まず、主基板３３は、上述の各種信号として、特別図柄を停止表示した旨を示す図柄確定回数信号と、大入賞装置２３の大入賞口に遊技球が入賞した旨を示す大入賞口信号と、大当たり遊技を実行している旨を示す大当たり１信号と、遊技者にとって有利な遊技状態が発生している旨を示す大当たり２信号とを出力するように設定されている。
【００２８】
より具体的には、主基板３３は、図５（ａ）に示すように、特別図柄の停止表示時に一定時間（本実施形態では１２８ｍｓ）だけ図柄確定回数信号を出力（オン）する（つまり、図柄確定回数信号の電圧をＨｉレベルに保持する。）。又、主基板３３は、図５（ｂ）に示すように、大入賞口に設けられた特別領域スイッチとカウントスイッチとがそれぞれ遊技球を検出する毎（つまり、これらスイッチがそれぞれオンする毎）に一定時間（本実施形態では１２８ｍｓ）だけ大入賞口信号を出力（オン）する（つまり、大入賞口信号の電圧をＨｉレベルに保持する。）。尚、図５（ａ）は、図柄確定回数信号の出力タイミングを示すタイミングチャートであり、図５（ｂ）は、大入賞口信号の出力タイミングを示すタイミングチャートである。
【００２９】
又、主基板３３は、図６（ａ）に示すように、大当たり遊技を実行する処理である条件装置の作動期間中（つまり、大当たり遊技の実行期間中）に大当たり１信号を出力（オン）し続ける（つまり、大当たり１信号の電圧をＨｉレベルに保持し続ける。）。又、主基板３３は、図６（ｂ）に示すように、条件装置の作動期間中、特別図柄の抽選確率が高確率に設定された期間中、及び特別図柄の抽選確率が低確率に設定され、且つ、特別図柄の変動時間短縮機能が作動している期間中（つまり、大当たり遊技、確率変動、時間短縮のいずれかの発生期間中）に大当たり２信号を出力（オン）し続ける（つまり、大当たり２信号の電圧をＨｉレベルに保持し続ける。）。尚、図６（ａ）は、大当たり１信号の出力タイミングを示すタイミングチャートであり、図６（ｂ）は、大当たり２信号の出力タイミングを示すタイミングチャートである。
【００３０】
一方、払出制御基板４１は、上述の各種信号として、賞球を払い出した旨を示す賞球信号と、貸球を払い出した旨を示す貸球信号とを出力するように設定されている。
より具体的には、払出制御基板４１は、図７（ａ）に示すように、払出装置に設けられた賞球スイッチが一定個数（本実施形態では、１０個）の賞球を検出する毎（つまり、賞球スイッチが一定回数オンする毎）に、一定時間（本実施形態では１２８ｍｓ）だけ賞球信号を出力（オン）する（つまり、賞球信号の電圧をＨｉレベルに保持する。）。又、払出制御基板４１は、図７（ｂ）に示すように、払出装置に設けられた貸球スイッチが一定個数（本実施形態では、１０個）の貸球を検出する毎（つまり、貸球スイッチが一定回数オンする毎）に、一定時間（本実施形態では１２８ｍｓ）だけ貸球信号を出力（オン）する（つまり、貸球信号の電圧をＨｉレベルに保持する。）。尚、図７（ａ）は、賞球信号の出力タイミングを示すタイミングチャートであり、図７（ｂ）は、貸球信号の出力タイミングを示すタイミングチャートである。
【００３１】
ここで、図３は、盤用情報端子板４９の平面図である。尚、図３（ａ）は、盤用情報端子板４９のコネクタ配設面の平面図であり、図３（ｂ）は、盤用情報端子板４９の配線形成面の平面図である。
【００３２】
図３（ａ），（ｂ）に示すように、盤用情報端子板４９は、長方形からなる平面形状を有している。そして、コネクタ配設面には、その中央に、主基板３３からのコネクタ（図示せず）に接続されるコネクタ５５が配設され、又、その四方の角付近に、管理コンピュータからのコネクタ（図示せず）に接続され、上述の図柄確定回数信号を出力するためのコネクタ５７と、上述の大入賞口信号を出力するためのコネクタ５９と、上述の大当たり１信号を出力するためのコネクタ６１と、上述の大当たり２信号を出力するためのコネクタ６３とがそれぞれ配設されている。又、コネクタ配設面には、コネクタ５５の周囲に、可視光を発する４つのＬＥＤ４９ａ，４９ｂ，４９ｃ，４９ｄがそれぞれ配設されている。
【００３３】
尚、本実施形態では、コネクタ５５は、盤用情報端子板４９に立設された５つの接続端子５５ａ，５５ｂ，５５ｃ，５５ｄ，５５ｅを備えた雄型コネクタとして構成されている。又、コネクタ５７は、盤用情報端子板４９に立設された２つの接続端子５７ａ，５７ｂを備えた雄型コネクタとして構成されている。又、コネクタ５９は、盤用情報端子板４９に立設された２つの接続端子５９ａ，５９ｂを備えた雄型コネクタとして構成されている。又、コネクタ６１は、盤用情報端子板４９に立設された２つの接続端子６１ａ，６１ｂを備えた雄型コネクタとして構成されている。又、コネクタ６３は、盤用情報端子板４９に立設された２つの接続端子６３ａ，６３ｂを備えた雄型コネクタとして構成されている。
【００３４】
そして、コネクタ５５の接続端子５５ａは、主基板３３からのコネクタ（以下、「主基板コネクタ」という。）におけるグランド端子（つまり、主基板３３のグランドに接続された端子）に接続されると共に、盤用情報端子板４９に形成されたグランドパターン４９Ｇに接続されている。又、コネクタ５５の接続端子５５ｂは、主基板コネクタにおける図柄確定回数信号端子（つまり、主基板３３からの図柄確定回数信号を出力する端子）に接続されると共に、コネクタ５７の接続端子５７ａに接続されている。又、コネクタ５５の接続端子５５ｃは、主基板コネクタにおける大入賞口信号端子（つまり、主基板３３からの大入賞口信号を出力する端子）に接続されると共に、コネクタ５９の接続端子５９ａに接続されている。又、コネクタ５５の接続端子５５ｄは、主基板コネクタにおける大当たり２信号端子（つまり、主基板３３からの大当たり２信号を出力する端子）に接続されると共に、コネクタ６３の接続端子６３ａに接続されている。又、コネクタ５５の接続端子５５ｅは、主基板コネクタにおける大当たり１信号端子（つまり、主基板３３からの大当たり１信号を出力する端子）に接続されると共に、コネクタ６１の接続端子６１ａに接続されている。又、コネクタ５７の接続端子５７ｂ、コネクタ５９の接続端子５９ｂ、コネクタ６１の接続端子６１ｂ、コネクタ６３の接続端子６３ｂはそれぞれ、盤用情報端子板４９のグランドパターン４９Ｇに接続されている。
【００３５】
又、ＬＥＤ４９ａは、アノード（図示せず）がコネクタ５５の接続端子５５ｂとコネクタ５７の接続端子５７ａとの接続パターンに接続されている一方で、カソード（図示せず）が盤用情報端子板４９のグランドパターン４９Ｇに接続されている。又、ＬＥＤ４９ｂは、アノード（図示せず）がコネクタ５５の接続端子５５ｃとコネクタ５９の接続端子５９ａとの接続パターンに接続されている一方で、カソード（図示せず）が盤用情報端子板４９のグランドパターン４９Ｇに接続されている。又、ＬＥＤ４９ｃは、アノード（図示せず）がコネクタ５５の接続端子５５ｅとコネクタ６１の接続端子６１ａとの接続パターンに接続されている一方で、カソード（図示せず）が盤用情報端子板４９のグランドパターン４９Ｇに接続されている。又、ＬＥＤ４９ｄは、アノード（図示せず）がコネクタ５５の接続端子５５ｄとコネクタ６３の接続端子６３ａとの接続パターンに接続されている一方で、カソード（図示せず）が盤用情報端子板４９のグランドパターン４９Ｇに接続されている。
【００３６】
つまり、盤用情報端子板４９は、主基板３３が図柄確定回数信号や大入賞口信号、大当たり１信号、大当たり２信号をそれぞれ出力する度に（つまり、これら信号が盤用情報端子板４９に入力される度に）、ＬＥＤ４９ａ〜４９ｄがそれぞれ点灯するように構成されている。
【００３７】
続いて、図４は、枠用情報端子板５１の平面図である。尚、図４（ａ）は、枠用情報端子板５１のコネクタ配設面の平面図であり、図４（ｂ）は、枠用情報端子板５１の配線形成面の平面図である。
【００３８】
図４（ａ），（ｂ）に示すように、枠用情報端子板５１は、長方形からなる平面形状を有している。そして、コネクタ配設面には、その中央に、払出制御基板４１や内枠５の開放を検出する内枠スイッチ（図示せず）、金枠１０の開放を検出する金枠スイッチ（図示せず）からの同一のコネクタ（図示せず）に接続されるコネクタ６５が配設され、又、その四方の角付近に、管理コンピュータからのコネクタに接続され、上述の賞球信号を出力するためのコネクタ６７と、上述の貸球信号を出力するコネクタ６９と、金枠１０が開放された旨を示す金枠開放信号を出力するためのコネクタ７１と、内枠５が開放された旨を示す内枠開放信号を出力するためのコネクタ７３とがそれぞれ配設されている。又、コネクタ配設面には、コネクタ６５とコネクタ６７との間、及びコネクタ６５とコネクタ６９との間に、可視光を発する２つのＬＥＤ５１ａ，５１ｂがそれぞれ配設されている。
【００３９】
尚、本実施形態では、コネクタ６５は、枠用情報端子板５１に立設された７つの接続端子６５ａ，６５ｂ，６５ｃ，６５ｄ，６５ｅ，６５ｆ，６５ｈを備えた雄型コネクタとして構成されている。又、コネクタ６７は、枠用情報端子板５１に立設された２つの接続端子６７ａ，６７ｂを備えた雄型コネクタとして構成されている。又、コネクタ６９は、枠用情報端子板５１に立設された２つの接続端子６９ａ，６９ｂを備えた雄型コネクタとして構成されている。又、コネクタ７１は、枠用情報端子板５１に立設された２つの接続端子７１ａ，７１ｂを備えた雄型コネクタとして構成されている。又、コネクタ７３は、枠用情報端子板５１に立設された２つの接続端子７３ａ，７３ｂを備えた雄型コネクタとして構成されている。
【００４０】
そして、コネクタ６５の接続端子６５ａは、払出制御基板４１や内枠スイッチ、金枠スイッチからの同一のコネクタ（以下、「同一コネクタ」という。）におけるグランド端子（つまり、払出制御基板４１のグランドに接続された端子）に接続されると共に、枠用情報端子板５１に形成されたグランドパターン５１Ｇに接続されている。又、コネクタ６５の接続端子６５ｂは、同一コネクタにおける賞球信号端子（つまり、払出制御基板４１からの賞球信号を出力する端子）に接続されると共に、コネクタ６７の接続端子６７ｂに接続されている。又、コネクタ６５の接続端子６５ｃは、同一コネクタにおける貸球信号端子（つまり、払出制御基板４１からの貸球信号を出力する端子）に接続されると共に、コネクタ６９の接続端子６９ｂに接続されている。又、コネクタ６５の接続端子６５ｄは、同一コネクタにおける金枠開放信号端子（つまり、金枠スイッチからの金枠開放信号を出力する端子）に接続されると共に、コネクタ７１の接続端子７１ａに接続されている。又、コネクタ６５の接続端子６５ｅは、同一コネクタにおける金枠グランド端子（つまり、金枠スイッチのグランドに接続された端子）に接続されると共に、コネクタ７１の接続端子７１ｂに接続されている。又、コネクタ６５の接続端子６５ｆは、同一コネクタにおける内枠開放信号端子（つまり、内枠スイッチからの内枠開放信号を出力する端子）に接続されると共に、コネクタ７３の接続端子７３ａに接続されている。又、コネクタ６５の接続端子６５ｈは、同一コネクタにおける内枠グランド端子（つまり、内枠スイッチのグランドに接続された端子）に接続されると共に、コネクタ７３の接続端子７３ｂに接続されている。又、コネクタ６７の接続端子６７ａ及びコネクタ６９の接続端子６９ａはそれぞれ、枠用情報端子板５１のグランドパターン５１Ｇに接続されている。
【００４１】
又、ＬＥＤ５１ａは、アノード（図示せず）がコネクタ６５の接続端子６５ｂとコネクタ６７の接続端子６７ｂとの接続パターンに接続されている一方で、カソード（図示せず）が枠用情報端子板５１のグランドパターン５１Ｇに接続されている。又、ＬＥＤ５１ｂは、アノード（図示せず）がコネクタ６５の接続端子６５ｃとコネクタ６９の接続端子６９ｂとの接続パターンに接続されている一方で、カソード（図示せず）が枠用情報端子板５１のグランドパターン５１Ｇに接続されている。
【００４２】
つまり、枠用情報端子板５１は、払出制御基板４１が賞球信号や貸球信号を出力する度に（つまり、これら信号が枠用情報端子板５１に入力される毎に）、ＬＥＤ５１ａ，５１ｂがそれぞれ点灯するように構成されている。
【００４３】
以上のように構成された本実施形態のパチンコ機１では、主基板３３及び払出制御基板４１が上述の各種信号を出力すると、これに応じて盤用情報端子板４９のＬＥＤ４９ａ〜４９ｄ及び枠用情報端子板５１のＬＥＤ５１ａ，５１ｂがそれぞれ点灯するため、この点灯に基づいて、上述の各種信号の出力時間及び非出力時間を計測できる。
【００４４】
従って、主基板３３及び払出制御基板４１が上述の各種信号を出力する遊技状態を複数回連続して発生させるなどすれば、上述の各種信号の出力時間及び非出力時間の最短時間を計測できるため、この計測結果から遊技場の管理コンピュータに設定すべきポーリング周期の見当をつけることができる。
【００４５】
又、本実施形態のパチンコ機１では、上述の各種信号の出力をＬＥＤの点灯で報知しているため、作業者は、視覚を通して、上述の各種信号の出力時と非出力時とを確実に判別できる。これにより、上述の各種信号の出力時間と非出力時間とを適切に計測でき、ひいては、不適切なポーリング周期を設定してしまうことを防止できる。
【００４６】
尚、本実施形態では、主基板３３と払出制御基板４１とがそれぞれ、本発明における制御基板に相当し、特別図柄を停止表示した状態と、大入賞装置２３の大入賞口に遊技球が入賞した状態と、大当たり遊技を実行している状態と、遊技者にとって有利な遊技状態が発生している状態と、一定個数の賞球を払い出した状態と、一定個数の貸球を払い出した状態とがそれぞれ、本発明における指定遊技状態に相当する。そして、図柄確定回数信号と、大入賞口信号と、大当たり１信号と、大当たり２信号と、賞球信号と、貸球信号とがそれぞれ、本発明における状態発生信号に相当する。
【００４７】
又、本実施形態では、ＬＥＤ４９ａ〜４９ｄ及びＬＥＤ５１ａ，５１ｂがそれぞれ、本発明における出力報知手段に相当する。
ところで、本実施形態では、ＬＥＤを点灯することで上述の各種信号の出力を報知したが、ディスプレイ１７に画像表示することで報知しても良いし、スピーカを介して音声によって報知しても良い。
［第２実施形態］
次に、第２実施形態について説明する。尚、本実施形態のパチンコ機は、第１実施形態のパチンコ機１の盤用情報端子板４９及び枠用情報端子板５１に新たな構成要素を付加しただけで、その他の構成要素については全く同様である。従って、ここでは、第１実施形態と同様の構成要素については同一の符号を付して、その説明を省略し、新たに付加した構成要素についてのみ詳述する。
【００４８】
まず、図８は、本実施形態における盤用情報端子板８１の平面図である。尚、図８（ａ）は、盤用情報端子板８１のコネクタ配設面の平面図であり、図８（ｂ）は、盤用情報端子板８１の配線形成面の平面図である。
【００４９】
図８（ａ）に示すように、盤用情報端子板８１のコネクタ配設面には、コネクタ５７〜６３付近に、主基板３３が出力する上述の各種信号の出力時間及び非出力時間を計測する計測部８３，８５，８７，８９がそれぞれ配設されている。
【００５０】
そして、図８（ｂ）に示すように、計測部８３は、コネクタ５７の接続端子５７ａ，５７ｂにそれぞれ接続されている。又、計測部８５は、コネクタ５９の接続端子５９ａ，５９ｂにそれぞれ接続されている。又、計測部８７は、コネクタ６１の接続端子６１ａ，６１ｂにそれぞれ接続されている。又、計測部８９は、コネクタ６３の接続端子６３ａ，６３ｂにそれぞれ接続されている。
【００５１】
ここで、計測部８３〜８９はそれぞれ、コネクタ５７〜６３に入力される上述の各種信号の立ち上がり及び立ち下がりを検出する周知の検出回路（図示せず）と、検出回路が立ち上がりを検出してから立ち下がりを検出するまでの時間、及び立ち下がりを検出してから立ち上がりを検出するまでの時間を上述の各種信号よりも十分に短い周期を有するクロック信号を用いてカウントする周知のカウンタ回路（図示せず）と、カウンタ回路の各カウント結果を逐次比較し、最短時間を示すカウント結果のみを出力する周知の比較回路（図示せず）とを内蔵すると共に、比較回路から出力されたカウント結果を表示するＬＣＤ８３ａ，８５ａ，８７ａ，８９ａを外装している。尚、計測部８３〜８９はそれぞれ、図示しない経路を介して電源基板３９から直流電力を供給されるように設定されている。
【００５２】
つまり、盤用情報端子板８１は、図柄確定回数信号、大入賞口信号、大当たり１信号、大当たり２信号の出力時間及び非出力時間をそれぞれ計測し、各信号における最短時間を示す計測結果を表示するように構成されている。
【００５３】
続いて、図９は、本実施形態における枠用情報端子板９１の平面図である。尚、図９（ａ）は、枠用情報端子板９１のコネクタ配設面の平面図であり、図９（ｂ）は、枠用情報端子板９１の配線形成面の平面図である。
【００５４】
図９（ａ）に示すように、枠用情報端子板９１のコネクタ配設面には、コネクタ６７，６９付近に、払出制御基板４１が出力する上述の各種信号の出力時間及び非出力時間を計測する計測部９３，９５がそれぞれ配設されている。
【００５５】
そして、図９（ｂ）に示すように、計測部９３は、コネクタ６７の接続端子６７ａ，６７ｂにそれぞれ接続されている。又、計測部９５は、コネクタ６９の接続端子６９ａ，６９ｂにそれぞれ接続されている。
【００５６】
ここで、計測部９３，９５はそれぞれ、コネクタ６７，６９に入力される上述の各種信号の立ち上がり及び立ち下がりを検出する周知の検出回路（図示せず）と、検出回路が立ち上がりを検出してから立ち下がりを検出するまでの時間、及び立ち下がりを検出してから立ち上がりを検出するまでの時間を上述の各種信号の出力時間の最短時間、及び非出力時間の最短時間よりも十分に短い周期を有するクロック信号を用いてカウントする周知のカウンタ回路（図示せず）と、カウンタ回路の各カウント結果を逐次比較し、最短時間を示すカウント結果のみを出力する周知の比較回路（図示せず）とを内蔵すると共に、比較回路から出力されたカウント結果を表示するＬＣＤ９３ａ，９５ａを外装している。尚、計測部９３，９５はそれぞれ、図示しない経路を介して電源基板３９から直流電力を供給されるように設定されている。
【００５７】
つまり、枠用情報端子板９１は、賞球信号及び貸球信号の出力時間及び非出力時間をそれぞれ計測し、各信号における最短時間を示す計測結果を表示するように構成されている。
【００５８】
以上のように構成された本実施形態のパチンコ機では、計測部８３〜８９及び計測部９３，９５がそれぞれ、上述の各種信号における最短時間を示す計測結果を表示するため、主基板３３及び払出制御基板４１が上述の各種信号を出力する遊技状態を複数回連続して発生させるなどすれば、最短時間を示す計測結果が報知される。つまり、わざわざ作業者が最短時間を計測せずとも、最短時間を容易に把握することができ、ひいては、管理コンピュータに設定すべきポーリング周期の見当を容易につけることができる。
【００５９】
又、本実施形態のパチンコ機では、最短時間を示す計測結果をＬＣＤに表示するため、視覚を通して、最短時間を示す計測結果を作業者に確実に認識させることができ、ひいては、不適切なポーリング周期を設定してしまうこと防止できる。
【００６０】
尚、本実施形態では、主基板３３と払出制御基板４１とがそれぞれ、本発明における制御基板に相当し、特別図柄を停止表示した状態と、大入賞装置２３の大入賞口に遊技球が入賞した状態と、大当たり遊技を実行している状態と、遊技者にとって有利な遊技状態が発生している状態と、一定個数の賞球を払い出した状態と、一定個数の貸球を払い出した状態とがそれぞれ、本発明における指定遊技状態に相当する。そして、図柄確定回数信号と、大入賞口信号と、大当たり１信号と、大当たり２信号と、賞球信号と、貸球信号とがそれぞれ、本発明における状態発生信号に相当する。
【００６１】
又、本実施形態では、ＬＥＤ４９ａ〜４９ｄ及びＬＥＤ５１ａ，５１ｂがそれぞれ、本発明における出力報知手段に相当し、計測部８３〜８９及び計測部９３，９５がそれぞれ、本発明における計測手段及び最短時間報知手段に相当する。
【００６２】
ところで、本実施形態では、計測部８３〜８９及び計測部９３，９５はそれぞれ、上述の各種信号の出力時間及び非出力時間の両方を計測するように構成されていたが、予め、立ち上がりから立ち下がりまでの最短時間と、立ち下がりから立ち上がりまでの最短時間とのどちらが短いのか作業者が把握している場合には、短い方のみを計測するように構成されていても良い。
【００６３】
又、本実施形態では、計測部８３〜８９及び計測部９３，９５は、最短時間を示す計測結果を画像を用いて報知したが、音声を用いて報知しても良い。
又、本実施形態では、計測部８３〜８９及び計測部９３，９５はそれぞれ、上述の各種信号の出力時間及び非出力時間を計測し、最短時間を示す計測結果を表示するように構成されていたが、これに加え、上述の各種信号の出力回数をカウントし、カウント値を表示するようにも構成されていても良い。
【００６４】
このように計測部８３〜８９及び計測部９３，９５が構成されていれば、上述の各種信号の出力の有無を管理コンピュータが逃さずに検出できているか否かを、表示されたカウント値と、管理コンピュータが示す検出回数とが一致するか否かを確認することで判断できる。つまり、適切なポーリング周期が設定されているか否かを判断できる。
【００６５】
以上、本発明の実施の形態について説明したが、本発明は、上記実施形態に何ら限定されることはなく、本発明の技術的範囲に属する限り種々の形態をとり得ることはいうまでもない。
【００６６】
例えば、上記実施形態ではいずれも、本発明を情報端子板に適用したが、本発明の構成要素を備えた装置をパチンコ遊技機に別体に設けても良い。
又、上記実施形態では、盤用情報端子板４９，８１及び枠用情報端子板５１，９１は管理コンピュータに直接接続されていたが、遊技機島に設置されたコンピュータ、又は呼出ランプを介して管理コンピュータに接続されても良い。
【００６７】
又、上記実施形態では、盤用情報端子板４９，８１及び枠用情報端子板５１，９１は、図柄確定回数信号、大入賞口信号、大当たり１信号、大当たり２信号、賞球信号、貸球信号を点灯や計測の対象としていたが、普通図柄の確定回数を示す信号や、遊技球が始動ゲート３１を通過した旨を示す信号、始動入賞装置２１や大入賞装置２３以外の入賞装置の入賞口に遊技球が入賞した旨を示す信号などといった他の信号を対象としても良い。
【００６８】
又、上記実施形態ではいずれも、本発明をパチンコ遊技機に適用したが、スロット遊技機や遊技球を用いてスロット遊技を行う遊技機（所謂「パチロット」）、アレンジボール遊技機などの他の形態の遊技機に適用しても勿論良い。
【図面の簡単な説明】
【００６９】
【図１】第１実施形態におけるパチンコ機１の正面図である。
【図２】第１実施形態におけるパチンコ機１の背面図である。
【図３】（ａ）は、第１実施形態における盤用情報端子板４９のコネクタ配設面の平面図であり、（ｂ）は、盤用情報端子板４９の配線形成面の平面図である。
【図４】（ａ）は、第１実施形態における枠用情報端子板５１のコネクタ配設面の平面図であり、（ｂ）は、枠用情報端子板５１の配線形成面の平面図である。
【図５】（ａ）は、図柄確定回数信号の出力タイミングを示すタイミングチャートであり、（ｂ）は、大入賞口信号の出力タイミングを示すタイミングチャートである。
【図６】（ａ）は、大当たり１信号の出力タイミングを示すタイミングチャートであり、（ｂ）は、大当たり２信号の出力タイミングを示すタイミングチャートである。
【図７】（ａ）は、賞球信号の出力タイミングを示すタイミングチャートであり、（ｂ）は、貸球信号の出力タイミングを示すタイミングチャートである。
【図８】（ａ）は、第２実施形態における盤用情報端子板８１のコネクタ配設面の平面図であり、（ｂ）は、盤用情報端子板８１の配線形成面の平面図である。
【図９】（ａ）は、第２実施形態における枠用情報端子板９１のコネクタ配設面の平面図であり、（ｂ）は、枠用情報端子板９１の配線形成面の平面図である。
【符号の説明】
【００７０】
１…パチンコ機、３…外枠、５…内枠、７…内枠ランプ、９…遊技盤、１０…金枠、１１…ハンドル、１３…上受け皿、１５…下受け皿、１７…ディスプレイ、１９…特別図柄保留ランプ、２１…始動入賞装置、２３…大入賞装置、２５…普通図柄表示装置、２７…普通図柄保留ランプ、２９…遊技盤ランプ、３１…始動ゲート、３３…主基板、３５…主基板ケース、３７…副基板ケース、３９…電源基板、４１…払出制御基板、４３…電源基板ケース、４５…払出基板ケース、４７…賞球タンク、４９，８１…盤用情報端子板、４９ａ，４９ｂ，４９ｃ，４９ｄ，５１ａ，５１ｂ…ＬＥＤ、４９Ｇ，５１Ｇ…グランドパターン、５１，９１…枠用情報端子板、５３…基板ケース、５５，５７，５９，６１，６３，６７，６９，７１，７３…コネクタ、５５ａ，５５ｂ，５５ｃ，５５ｄ，５５ｅ，５７ａ，５７ｂ，５９ａ，５９ｂ，６１ａ，６１ｂ，６３ａ，６３ｂ，６５ａ，６５ｂ，６５ｃ，６５ｄ，６５ｅ，６５ｆ，６５ｈ，６７ａ，６７ｂ，６９ａ，６９ｂ，７１ａ，７１ｂ，７３ａ，７３ｂ…接続端子、８３，８５，８７，８９，９３，９５…計測部、ＬＣＤ…８３ａ，８５ａ，８７ａ，８９ａ，９３ａ，９５ａ。
【図１】
2005270121.tif 000003
【図２】
2005270121.tif 000004
【図３】
2005270121.tif 000005
【図４】
2005270121.tif 000006
【図５】
2005270121.tif 000007
【図６】
2005270121.tif 000008
【図７】
2005270121.tif 000009
【図８】
2005270121.tif 000010
【図９】
2005270121.tif 000011